(57)【要約】【課題】吊り棚などの被固定部の底部に取り付けて、レシピ類を見やすく保持することができるレシピホルダーを提供する。【解決手段】被固定部の底部に固定してレシピ類を保持するレシピホルダーである。底部に固定ネジをねじ込んで固定する固定孔を設けた固定部材１と、固定部材の固定面と垂直の第１回動軸２を軸に回動可能に固定部材の下側に軸支された第１回動部材３と、第１回動軸と直交する方向の第２回動軸４を軸に、第１回動部材に回動可能に軸支された第２回動部材５と、第２回動部材に固定されたホルダー部材６とを備える。ホルダー部材６は、その上端部が第２回動部材に固定され、ホルダー部材の下端部にレシピ類を下から受けるように保持する保持受部７が設けられる。【選択図】図２
2017047029.tif 000002
【特許請求の範囲】
【請求項１】
被固定部材の底部に固定してレシピ類を保持するレシピホルダーであって、
該底部に固定ネジをねじ込んで固定する固定孔を設けた固定部材と、該固定部材の固定面と平行の回動軸を介して回動可能に該固定部材に軸支された回動部材と、該回動部材に固定されたホルダー部材とを備え、該ホルダー部材は、その上端部が該回動部材に固定され、該ホルダー部材の下端部にレシピ類を下から受けるように保持する保持受部が設けられたことを特徴とするレシピホルダー。
【請求項２】
前記回動部材が前記固定部材に対し任意の角度位置で停止されるように、前記回動軸に回動摩擦抵抗部材が取り付けられたことを特徴とする請求項１記載のレシピホルダー。
【請求項３】
被固定部材の底部に固定してレシピ類を保持するレシピホルダーであって、
該底部に固定ネジをねじ込んで固定する固定孔を設けた固定部材と、
該固定部材の固定面と垂直の第１回動軸を軸に回動可能に該固定部材の下側に軸支された第１回動部材と、
該第１回動軸と直交する方向の第２回動軸を軸に該第１回動部材に回動可能に軸支された第２回動部材と、該第２回動部材に固定されたホルダー部材と、
を備え、
該ホルダー部材は、その上端部が該第２回動部材に固定され、該ホルダー部材の下端部にレシピ類を下から受けるように保持する保持受部が設けられたことを特徴とするレシピホルダー。
【請求項４】
前記第１回動部材が前記固定部材に対し任意の角度位置で停止されるように、該第１回動軸に回動摩擦抵抗部材が取り付けられ、前記第２回動部材が該第１回動部材に対し任意の角度位置で停止するように、前記第２回動軸に回動摩擦抵抗部材が取り付けられたことを特徴とする請求項３記載のレシピホルダー。
【請求項５】
前記ホルダー部材は、平板部を有して形成され、該平板部の上端部の裏面に前記第２回動部材が固定され、該平板部の下端部の前面に前記保持受部が設けられたことを特徴とする請求項３記載のレシピホルダー。
【発明の詳細な説明】
【技術分野】
【０００１】
本発明は、レシピ類（レシピ本やレシピを画面表示するタブレット端末などを含む）を保持させるレシピホルダーに関し、特にキッチンの吊り棚等の底部に取り付けて、便利に使用することができるレシピホルダーに関する。
【背景技術】
【０００２】
従来、キッチンなどで、レシピを立てて保持する、レシピスタンドが、下記の特許文献１で提案されている。このレシピスタンドは、ベースプレートに対しヒンジ機構を介して、支持プレートを回動可能に取り付け、ヒンジ機構の箇所の両側に、クリップを取り付けて構成される。
【先行技術文献】
【特許文献】
【０００３】
【特許文献１】特開２０１０−５１４９１号公報
【発明の概要】
【発明が解決しようとする課題】
【０００４】
このレシピスタンドは、ベースプレートをキッチンカウンターや調理台の上に置いて使用され、支持プレートがベースプレートに対し傾斜して立てられ、その支持プレート上に、レシピをクリップで留めて、保持するように使用される。
【０００５】
しかしながら、このレシピスタンドは、通常、ベースプレートをキッチンカウンターや調理台の上に置いて使用されるため、料理する際、材料や調理器具を置いて使用するキッチンカウンターや調理台の上が、レシピスタンドにより狭くなり、使用しにくい場合があった。
【０００６】
このため、上記レシピスタンドは、側壁に設けた引っ掛け具に引っ掛けて使用することができるようになっているが、壁面にレシピスタンドを引っ掛けて使用する場合、レシピを上からクリップで挟んで止めるのみであるため、重量の重いレシピ本やレシピを画面表示するタブレット端末は、クリップでは保持することができない課題があった。
【０００７】
本発明は、上述の課題を解決するものであり、吊り棚などの被固定部の底部に取り付けて、レシピ類を見やすく保持することができるレシピホルダーを提供することを目的とする。
【課題を解決するための手段】
【０００８】
本発明に係るレシピホルダーは、
被固定部の底部に固定してレシピ類を保持するレシピホルダーであって、
該底部に固定ネジをねじ込んで固定する固定孔を設けた固定部材と、該固定部材の固定面と平行の回動軸を介して回動可能に該固定部材に軸支された回動部材と、該回動部材に固定されたホルダー部材とを備え、該ホルダー部材は、その上端部が該回動部材に固定され、該ホルダー部材の下端部にレシピ類を下から受けるように保持する保持受部が設けられたことを特徴とする。
【０００９】
この発明によれば、レシピホルダーをキッチンの吊り棚などの底部（底面など）に、固定部材を固定ネジで固定して簡単に取り付けることができ、レシピ類（レシピ本やレシピを画面表示するタブレット端末などを含む）を、ホルダー部材の下部の保持受部に、見易い状態で載置して使用することができる。また、キッチンカウンターの上からレシピ類がなくなり、料理材料や料理器具を置くためにカウンター上を広く使うことができる。さらに、レシピホルダーを使用しない場合、レシピホルダーを吊り棚の底部近傍に撥ね上げるように回動させて収納状態とすることができ、料理中に、レシピホルダーが邪魔になることはない。
【００１０】
ここで、上記レシピホルダーにおいて、上記回動部材は固定部材に対し任意の角度位置で停止されるように該回動軸に回動摩擦抵抗部材を取り付けることが好ましい。これによれば、ホルダー部材を回動軸の回りで回し、任意の角度位置で止めることができるため、レシピ類を見やすい角度まで回すことができる。また、使用しない場合、ホルダー部材を吊り棚の底部など、被固定部の底部収納位置まで安全に回動させ、邪魔にならない収納位置で、ホルダー部材を安全に停止させることができる。
【００１１】
本発明の他のレシピホルダーは、
被固定部の底部に固定してレシピ類を保持するレシピホルダーであって、
該底部に固定ネジをねじ込んで固定する固定孔を設けた固定部材と、該固定部材の固定面と垂直の第１回動軸を軸に回動可能に該固定部材の下側に軸支された第１回動部材と、該第１回動軸と直交する方向の第２回動軸を軸に該第１回動部材に回動可能に軸支された第２回動部材と、該第２回動部材に固定されたホルダー部材とを備え、該ホルダー部材は、その上端部が該第２回動部材に固定され、該ホルダー部材の下端部にレシピ類を下から受けるように保持する保持受部が設けられたことを特徴とする。
【００１２】
この発明によれば、レシピホルダーをキッチンの吊り棚などの底部（底面など）に、固定部材を固定ネジで固定して簡単に取り付けることができ、レシピ類（レシピ本やレシピを画面表示するタブレット端末などを含む）を、ホルダー部材の下部の保持受部に、見易い状態に載置して、簡便に使用することができる。
【００１３】
このため、料理中、レシピ本などを見ながら邪魔にならずに調理することができ、キッチンカウンターの上を、料理材料や料理器具を置くために広く使うことができる。また、レシピ類を受けて保持する保持受部は、相互に直交する第１回動軸と第２回動軸を軸にして任意の方向に回動操作することができるので、使用者は、料理中、見やすい角度位置にレシピ類を回して見ることができる。さらに、レシピホルダーを使用しない場合、レシピホルダーを吊り棚の底部近傍に撥ね上げるように回動させて収納状態とすることができ、料理中に、レシピホルダーが邪魔になることはない。
【００１４】
ここで、上記レシピホルダーにおいて、第１回動部材は固定部材に対し任意の角度位置で停止されるように該第１回動軸に回動摩擦抵抗部材を取り付け、第２回動部材は、第１回動部材に対し任意の角度位置で停止するように第２回動軸に回動摩擦抵抗部材を取り付けることが好ましい。
【００１５】
これによれば、ホルダー部材を、直交する２軸の回りで回し、任意の角度位置で止めることができるため、レシピ類を使用者が最も見やすい角度に回すことができ、また、使用しない場合、ホルダー部材を吊り棚などの底部の真下位置まで回動させて収納状態とすることができる。
【００１６】
またここで、上記ホルダー部材は、平板部を有して形成され、該平板部の上端部の裏面に上記第２回動部材を固定し、該平板部の下端部の前面に上記保持受部を設けて構成することができる。
【発明の効果】
【００１７】
この発明のレシピホルダーによれば、吊り棚などの被固定部の底部に取り付けて、レシピ類を見やすく保持することができる。
【図面の簡単な説明】
【００１８】
【図１】本発明の第１実施形態を示すレシピホルダーの正面図である。
【図２】同レシピホルダーの右側面図である。
【図３】同レシピホルダーの平面図である。
【図４】同レシピホルダーの斜視図である。
【図５】同レシピホルダーの背面から見た斜視図である。
【図６】ホルダー部材と２軸ヒンジを分離した状態の斜視図である。
【図７】２軸ヒンジの分解斜視図である。
【図８】使用態様を示すレシピホルダーの正面図である。
【図９】使用態様を示すレシピホルダーの右側面図である。
【図１０】使用態様を示すレシピホルダーの平面図である。
【図１１】第２実施形態を示すレシピホルダーの正面図である。
【図１２】同レシピホルダーの右側面図である。
【図１３】同レシピホルダーの平面図である。
【発明を実施するための形態】
【００１９】
以下、本発明の一実施形態を図面に基づいて説明する。図１〜図１０は、第１実施形態のレシピホルダーを示している。このレシピホルダーは、概略的には、被固定部である吊り棚の底部などに固定して使用され、レシピ本やレシピを画面表示するタブレット端末などのレシピ類を保持するレシピホルダーである。レシピ類を保持するホルダー部材６は、図１，２に示す如く、その上端部が２軸ヒンジ２Ｈを介して、鉛直軸と水平軸の２軸の回りで回動可能に、被固定部に取り付けられる。
【００２０】
２軸ヒンジ２Ｈは、固定ネジをねじ込んで固定する固定孔を設けた固定部材１と、固定部材１の固定面と垂直方向の第１回動軸２を軸に、回動可能に固定部材１の下側に軸支された第１回動部材３と、第１回動軸２と直交方向の第２回動軸４を軸に、第１回動部材３に回動可能に軸支された第２回動部材５と、を備えて構成さされる。
【００２１】
固定部材１は、図７に示すように、金属板を曲折して両側上部に固定面１ａを形成し、その固定面１ａに複数の固定孔１ｂが穿設される。固定部材１の中央に設けた凹部１ｃに貫通孔１ｄが穿設され、貫通孔１ｄに第１回動軸２が上下に貫通して取り付けられる。第１回動軸２には、第１回動部材３が左右方向に回動可能に軸支される。第１回動軸２は固定面１ａに対し垂直の、鉛直線Ｖ(図２、図９)上に配置され、取り付けられる。
【００２２】
第１回動軸２は、図７に示すように、２面を面取りした断面異形のボルトから構成され、貫通孔１ｄには回動を阻止された状態で挿通され、ボルトの先端側には、回動摩擦抵抗部材１１となる、複数のスプリングワッシャ及び平ワッシャが挿通される。第１回動軸２のボルトは、ナット２ａによりこれらのスプリングワッシャ、平ワッシャからなる回動摩擦抵抗部材１１を、第１回動部材３の上部取付面３１に押し当てて締め付け、適度な回動摩擦抵抗を第１回動部材３に生じさせ、任意の回動位置で第１回動部材３を静止できるようになっている。図７に示すように、第１回動部材３の上部取付面３１に穿設される軸孔３４は円形孔とされ、そこに挿通される第１回動軸２のボルトに対し第１回動部材３は回動可能である。
【００２３】
これにより、第１回動部材３は、鉛直軸である第１回動軸２の回りで、図１の左右方向に回動可能に軸支され、さらにその回動範囲を所定角度範囲に制限するために、第１回動部材３の上部にガイドピン３ａが上に向けて突設される。ガイドピン３３は、固定部材１に設けたガイド溝１ｅに係合し、ガイド溝１ｅの両側端部間で移動可能とすることにより、第１回動部材３の回動角度範囲を例えば約９０°と制限している。
【００２４】
第１回動部材３は、図７に示すように、固定部材１の平面と平行な上部取付面３１を有するとともに、上部取付面３１の前部両側に、前部軸支部３２を設けて構成される。上部取付面３１は平板部を固定部材１の底部に当接させるように形成され、前部軸支部３２は、両側の板部を前方に曲折して両側に形成される。両側の前部軸支部３２には、各々貫通孔３５が水平横方向に穿設される。
【００２５】
各貫通孔３５には、第２回動軸４が挿通され、上記と同様、両側の第２回動軸４は、図７に示すように、各々、２面を面取りした断面異形のボルトから構成される。第２回動軸４は、異形の貫通孔３５に、回動を阻止された状態で挿通され、第２回動軸４つまりボルトの先端側には、回動摩擦抵抗部材１２となる、複数のスプリングワッシャ及び平ワッシャが挿通される。両側の第２回動軸４は、第１回動軸２に対し直交方向、つまり第１回動軸２が鉛直線Ｖ上に配設され、第２回動軸４は図３に示す如く水平軸Ｈ上に配設され、第１回動軸２と第２回動軸４は直交する。
【００２６】
さらに、両側の第２回動軸４には、第２回動部材５の軸支部５ａの軸孔５ｂが挿通される。第２回動部材５は、図７に示すように、正面に、ホルダー部材６を取り付けるための取付面５ｃが形成され、その取付面５ｃの両側に軸支部５ａが背面側に折り曲げて形成される。第２回動部材５の軸支部５ａに穿設される軸孔５ｂは円形孔とされ、そこに挿通される第２回動軸４のボルトに対し第２回動部材５は回動可能である。
【００２７】
図７に示すように、各第２回動軸４のボルトは、ナット４ａによりこれらのスプリングワッシャ、平ワッシャを、第１回動部材３の前部軸支部３２及び第２回動部材５の軸支部５ａに、押し当てて締め付け、第２回動部材５の回動時、適度な回動摩擦抵抗を第１回動部材３との間に生じさせ、任意の回動位置で第２回動部材５を、第１回動部材３に対して静止できるようになっている。
【００２８】
また、第２回動部材５の取付面５ｃとホルダー部材６を、図９に示すように、最下位下限位置まで回動させたとき、ホルダー部材６は、鉛直線Ｖに対しその下端の保持受部７が少し前方に出るような傾斜角度αで停止するように、第２回動部材５の最下位の回動下限角度αが設定されている。この最下位下限位置は、図７に示す如く、第１回動部材３の前部軸支部３２の内側に凸部３６を突設し、この凸部３６に第２回動部材５の軸支部５ａを係止させて設定している。
【００２９】
なお、第２回動部材５は、図９に示す如く、ホルダー部材６を最上位置まで撥ね上げるように回動させたとき、停止し易くするために、軸支部５ａと前部軸支部３２間に、凹部と凹部に係止可能な凸部を設け、ホルダー部材６を撥ね上げて収納したとき、凹部と凸部が係合して停止するように構成してもよい。
【００３０】
図６に示すように、第２回動部材５の正面の取付面５ｃには、ホルダー部材６の上端部がリベット等により取り付けられる。第２回動部材５に固定されるホルダー部材６は、方形の板状に形成され、その上端部背面が第２回動部材５の取付面５ｃに固定される。図１，２に示すように、ホルダー部材６は平板部６ａを主要部として形成され、その平板部６ａの下端部に、レシピ類を下から受けるように保持する保持受部７が設けられる。
【００３１】
上記構成のレシピホルダーは、図８〜図１０に示すように、キッチンカウンターの上方に設置された吊り棚Ｓの底部に、その固定部材１の固定面１ａを当接され、複数の固定ネジ９を固定孔１ｂに挿通させ、吊り棚Ｓの底部に固定することのより取り付けられる。図９に示す如く、吊り棚Ｓの底部下側に凹部が形成されている場合、その凹部内に固定部材１は固定される。
【００３２】
なお、ホルダー部材６の左右方向への回したときの回動負荷は、第１回動軸２に螺合するナット２ａを回して、使用者が容易にホルダー部材６の向きを左右に変えることが可能な程度に、回動摩擦抵抗部材１１の摩擦抵抗を調整して行う。また、ホルダー部材６の前後方向へ回動負荷は、両側の第２回動軸４に螺合するナット４ａを回して、使用者が容易にホルダー部材６の向きを前後に変えることが可能な程度に、回動摩擦抵抗部材１１の摩擦抵抗を調整して行う。また、未使用時、ホルダー部材６を最上位置までは撥ね上げるように回動操作して、図９のように収納状態とするため、収納状態まで回動させた状態で、ホルダー部材６が静止する程度に、回動摩擦抵抗部材１１の摩擦抵抗を調整する。
【００３３】
キッチンなどでレシピホルダーを使用する場合、図９に示すように、収納状態のホルダー部材６を持って下側に開くように回動させる。ホルダー部材６に取り付けられた第２回動部材５は、第２回動軸４の回りで回動し、ホルダー部材６の保持受部７が下方位置に降りた状態で、レシピ本やレシピを画面表示するタブレット端末などのレシピ類Ｒをホルダー部材６に載置する。
【００３４】
図９に示すように、ホルダー部材６は鉛直線Ｖに対し僅かに正面側に保持受部７を出すように停止する。つまり、第２回動部材５の軸支部５ａが第１回動部材３の前部軸支部３２の凸部３６に当接して停止するため、ホルダー部材６は図９の如く、その下端の保持受部７を少し前方に出した状態で停止する。このため、ホルダー部材６はその上部を背面側に引き戻すように後退した傾斜状態となり、レシピ類Ｒを落さずに安定して保持することができる。
【００３５】
そして、使用者は、レシピ類Ｒが見やすい角度となるように、ホルダー部材６を持って、第１回動軸２の回りで第１回動部材３及び第２回動部材５を、左右に回動させるように、操作する。このとき、操作時の回動負荷は、第１回動軸２の回動摩擦抵抗部材１１により、調整されているため、使用者は、簡単にホルダー部材６を希望の位置まで回して止めることができる。このように、ホルダー部材６は、図８、１０に示すように、第１回動軸２の回りで左右に良好に回動し、使用者は、見やすい角度にレシピ類Ｒを回すことができる。
【００３６】
一方、料理が終わり、レシピ類Ｒをホルダー部材６から降ろした後、ホルダー部材６が邪魔にならないように、ホルダー部材６を撥ね上げた状態とする。このとき、使用者は、ホルダー部材６の下端の保持受部７などを持ち、上に回動操作すると、第２回動部材５が第２回動軸４を軸に上側に回動し、図９の仮想線に示す如く、ホルダー部材６が吊り棚Ｓの底部の凹部に入った状態で停止し、ホルダー部材を収納状態とすることができる。このとき、第２回動部材５は、回動摩擦抵抗部材１２の調整により、撥ね上げ位置で停止し且つその状態を保持するように調整されているため、ホルダー部材６の収納状態は良好に保持されることとなる。
【００３７】
なお、図８〜図１０に示すように、吊り棚Ｓの形状が比較的狭い場合、第１回動部材３と第２回動部材５の鉛直線Ｖ上での角度が左右に振られている場合、ホルダー部材６を第１回動軸２の回りで図の実線に示す正面位置まで戻した後、上記のようなホルダー部材６の撥ね上げ回動操作を行う。
【００３８】
このように、レシピホルダーをキッチンの吊り棚などの底部（底部）に、固定部材を固定ネジ９で固定して簡単に取り付けることができ、レシピ類（レシピ本やレシピを画面表示するタブレット端末などを含む）を、ホルダー部材６の下部の保持受部７に、見易い状態に載置して使用することができる。また、料理中に、邪魔にならずにレシピ本などを見ながら調理することができ、キッチンカウンターの上を、料理材料や料理器具を置くために広く使うことができる。さらに、レシピ類Ｒを受けて保持する保持受部７は、相互に直交する第１回動軸２と第２回動軸４を軸にして任意の方向に回動操作することができるので、使用者は、料理中、見やすい角度位置にレシピ類Ｒを回して見ることができる。
【００３９】
図１１〜図１３は、第２実施形態のレシピホルダーを示している。このレシピホルダーは、図に示すように、ホルダー部材５６が、その上端部を１軸ヒンジ１Ｈを介して、水平軸Ｈの回りで上下に（前後に）回動可能に、吊り棚の底部などの被固定部に取り付けられる。
【００４０】
１軸ヒンジ１Ｈは、固定ネジをねじ込んで固定する固定孔５１ｂを設けた固定部材５１と、固定部材５１の固定面５１ａと平行の回動軸５３を介して回動可能に固定部材５１に軸支された回動部材５４と、回動部材５４に固定されたホルダー部材５６とを備える。ホルダー部材５６は、その上端部が回動部材５４の軸支部５４ａに固定される。ホルダー部材５６の下端部にレシピ類を下から受けるように保持する保持受部５７が設けられる。
【００４１】
固定部材５１の両側に、前部軸支部５２が設けられ、両側の前部軸支部５２には、回動軸（ボルト）５３が貫通孔に回動を阻止した状態で嵌挿される。さらに回動軸５３には、回動部材５４の両側の軸支部５４ａに穿設された貫通孔が嵌め込まれ、挿通される。図１２に示すように、回動部材５４の軸支部５４ａには、固定部材５１の前部軸支部５２の縁部と当接可能な位置に、凸部５８が設けられる。
【００４２】
この回動部材５４の軸支部５４ａの凸部５８は、回動部材５４を図１２の位置まで回動軸５３の回りで回動させたとき、前部軸支部５２に当接し、回動部材５４が停止するようになっている。つまり、ホルダー部材５６を降ろすように操作したとき、回動部材５４が回動軸５３の回りで回動し、図１２に示す如く、ホルダー部材５６が、その下端を前方に突き出し、上端を引き戻すように、鉛直線Ｖに対し傾斜角度αだけ傾斜した状態になったとき、軸支部５４ａが凸部５８に当接し、停止するようになっている。
【００４３】
回動軸５３の端部に、回動摩擦抵抗部材５９となる複数のスプリングワッシャとワッシャが装着される。回動軸５３の末端部にナット５３ａがねじ込まれ、適度な締付力でナット５３ａが回動摩擦抵抗部材５９を介して軸支部５４ａを締め付ける。これにより、複数のスプリングワッシャとワッシャからなる回動摩擦抵抗部材５９によって、回動部材５４が固定部材５１に対し適度な回動摩擦抵抗をもって回動可能に軸支されることとなる。
【００４４】
上記構成のレシピホルダーは、キッチンカウンターの上方に設置された吊り棚の底部に、その固定部材５１の固定面５１ａを当接され、複数の固定ネジを固定孔５１ｂに挿通させ、吊り棚の底部に固定することのより取り付けられる。このときの固定部材５１の取付位置は、使用者がレシピ類を見やすい位置と角度に決められる。
【００４５】
レシピホルダーを使用する場合、収納状態（上に撥ね上げた状態）のホルダー部材５６を持って手前下側に開くように回動させる。このとき、ホルダー部材５６に取り付けられた回動部材５４は、回動軸５３の回りで回動し、図１２に示すように、ホルダー部材５６の保持受部５７が下方位置に降りた状態で、レシピ本やレシピを画面表示するタブレット端末などのレシピ類Ｒをホルダー部材５６に載置する。
【００４６】
このように、ホルダー部材５６は図１２の如く、その下端の保持受部５７を少し前方に出した状態で停止するので、その上部を背面側に引き戻すように後退した傾斜状態となり、使用者はレシピ類Ｒをホルダー部材５６の保持受部５７に容易に載置することができ、またレシピ類Ｒを落さずに安定して保持することができる。なお、このレシピホルダーは、１軸ヒンジ１Ｈを使用するので、ホルダー部材５６は、その左右方向に回動することができないが、固定部材５１の左右の固定角度を、使用者が見やすい角度として固定すれば、便利にレシピ類Ｒを保持させて使用することができる。
【００４７】
一方、料理が終わり、レシピ類Ｒをホルダー部材５６から降ろした後、ホルダー部材５６が邪魔にならないように、ホルダー部材５６を撥ね上げた状態とする。このとき、使用者は、ホルダー部材５６の下端の保持受部５７などを持ち、上に回動操作すると、回動部材５４が回動軸５３を軸に上側に回動し、吊り棚の底部の凹部内に入った収納状態で停止する。回動部材５４は、回動摩擦抵抗部材５９の調整により、撥ね上げ位置で停止し且つその状態を保持するように調整されているため、ホルダー部材５６の撥ね上げ収納状態は良好に保持されることとなる。
【符号の説明】
【００４８】
１      固定部材
１Ｈ    １軸ヒンジ
１ａ    固定面
１ｂ    固定孔
１ｃ    凹部
１ｄ    貫通孔
１ｅ    ガイド溝
２      第１回動軸
２Ｈ    ２軸ヒンジ
２ａ    ナット
３      第１回動部材
３ａ    ガイドピン
４      第２回動軸
４ａ    ナット
５      第２回動部材
５ａ    軸支部
５ｂ    軸孔
５ｃ    取付面
６      ホルダー部材
６ａ    平板部
７      保持受部
９      固定ネジ
１１    回動摩擦抵抗部材
１２    回動摩擦抵抗部材
３１    上部取付面
３２    前部軸支部
３３    ガイドピン
３４    軸孔
３５    貫通孔
３６    凸部
５１    固定部材
５１ａ  固定面
５１ｂ  固定孔
５２    前部軸支部
５３    回動軸
５３ａ  ナット
５４    回動部材
５４ａ  軸支部
５６    ホルダー部材
５７    保持受部
５８    凸部
５９    回動摩擦抵抗部材
【図１】
2017047029.tif 000003
【図２】
2017047029.tif 000004
【図３】
2017047029.tif 000005
【図４】
2017047029.tif 000006
【図５】
2017047029.tif 000007
【図６】
2017047029.tif 000008
【図７】
2017047029.tif 000009
【図８】
2017047029.tif 000010
【図９】
2017047029.tif 000011
【図１０】
2017047029.tif 000012
【図１１】
2017047029.tif 000013
【図１２】
2017047029.tif 000014
【図１３】
2017047029.tif 000015